(57)【要約】      （修正有）【課題】窓ガラスの内面に容易に着脱可能なサンシェードを提供する。【解決手段】窓ガラス１の内面に吸着盤を介して取着されるサンシェード１０において、吸着盤の取付部が係脱できる取付スリット１２が、サンシェード本体１１の外縁１１Ｃに開口して該サンシェード本体１１に設けられてなるもの。【選択図】図１
0003155341.tif 000002
【実用新案登録請求の範囲】
【請求項１】
窓ガラスの内面に吸着盤を介して取着されるサンシェードにおいて、
吸着盤の取付部が係脱できる取付スリットが、サンシェード本体の外縁に開口して該サンシェード本体に設けられてなることを特徴とするサンシェード。
【請求項２】
車両の窓ガラスの内面に吸着盤を介して取着される車両用サンシェードにおいて、
吸着盤の取付部が係脱できる取付スリットが、サンシェード本体の外縁に開口して該サンシェード本体に設けられてなることを特徴とする車両用のサンシェード。
【請求項３】
前記サンシェード本体の外郭が前記窓ガラスの輪郭と相似しない曲線からなる請求項１又は２に記載のサンシェード。
【請求項４】
前記サンシェード本体が光触媒層を備えてなる請求項１〜３のいずれかに記載のサンシェード。
【考案の詳細な説明】
【技術分野】
【０００１】
本考案は、自動車の前ウインド又は後ウインド等の窓ガラスの内面に取着され、太陽光を遮断して車室内の温度上昇を抑える車両用サンシェード等のサンシェードに関する。
【背景技術】
【０００２】
車両用サンシェードとして、特許文献１に記載の如く、サンシェード本体の四隅に吸着盤が固定され、この吸着盤を介して車両の窓ガラスの内面に取着されるものがある。
【先行技術文献】
【特許文献】
【０００３】
【特許文献１】実開平7-28717
【考案の概要】
【考案が解決しようとする課題】
【０００４】
しかしながら、特許文献１に記載の車両用サンシェードでは、窓ガラスの内面からの取外し時に、窓ガラスの内面に吸着している吸着盤を取外すことに困難がある。
【０００５】
この困難は、窓ガラスの内面に取着されたサンシェード本体が窓ガラスの可及的広い範囲で太陽光を遮断可能にするために、サンシェード本体が窓枠近くまで延在されていて、サンシェード本体の外郭が窓枠に対してなす間隔が狭く、この狭い間隔から窓ガラスの内面上の吸着盤に手を差し入れにくく、該吸着盤を取外し操作しにくいことによる。
【０００６】
また、この困難は、窓ガラスの内面に取着されたサンシェード本体が窓ガラスの内面に対してなす間隙内の空気が高温になることを回避するため、サンシェード本体を窓ガラスの内面に可及的に密着させる必要があり、この狭い間隙から窓ガラスの内面上の吸着盤に手を差し入れにくく、該吸着盤を取外し操作しにくいことにもよる。
【０００７】
本考案の課題は、車両用サンシェード等のサンシェードにおいて、サンシェード本体を窓ガラスの内面に吸着盤を介して容易に着脱することにある。
【課題を解決するための手段】
【０００８】
請求項１の考案は、窓ガラスの内面に吸着盤を介して取着されるサンシェードにおいて、吸着盤の取付部が係脱できる取付スリットが、サンシェード本体の外縁に開口して該サンシェード本体に設けられてなるようにしたものである。
【０００９】
請求項２の考案は、車両の窓ガラスの内面に吸着盤を介して取着される車両用サンシェードにおいて、吸着盤の取付部が係脱できる取付スリットが、サンシェード本体の外縁に開口して該サンシェード本体に設けられてなるようにしたものである。
【００１０】
請求項３の考案は、請求項１又は２の考案において更に、前記サンシェード本体の外郭が前記窓ガラスの輪郭と相似しない曲線からなるようにしたものである。
【００１１】
請求項４の考案は、請求項１〜３のいずれかの考案において更に、前記サンシェード本体が光触媒層を備えてなるようにしたものである。
【考案の効果】
【００１２】
（請求項１、２）
(a)サンシェード本体の外縁に開口する取付スリットに吸着盤の取付部を差し入れて係着し、この吸着盤の吸着部を窓ガラスの内面に吸着させることにより、サンシェード本体を窓ガラスの内面に容易に取着できる。
【００１３】
尚、吸着盤の吸着部を窓ガラスの内面に先に吸着させておき、この吸着盤の取付部にサンシェード本体の外縁に開口する取付スリットを差し入れて係着することによっても、サンシェード本体を窓ガラスの内面に容易に取着できる。
【００１４】
(b)吸着盤の吸着部を窓ガラスの内面に吸着させたままで、サンシェード本体の外縁に開口する取付スリットを吸着盤の取付部から抜き外すことで、サンシェード本体を窓ガラスの内面から容易に取外しできる。この後、吸着盤を引張る等によりその吸着部の窓ガラスの内面への吸着を除去するものになる。
【００１５】
（請求項３）
(c)サンシェード本体の外郭が窓ガラスの輪郭と相似しない曲線からなるものとすることにより、(i)サンシェード本体の外郭を鳥、蝶、てんとう虫等のかわいらしい形態にすることができ、(ii)通常の矩形と異なる独特の形態をなすサンシェード本体が目印となり、駐車場で遠くから自分の車両を見つける等ができ、(iii)窓ガラスにおいてサンシェード本体の外郭により遮蔽されない部分が車室等の室外から室内を見通し可能にし、室内への子供の閉じ込め事故等を予防できる。
【００１６】
（請求項４）
(d)サンシェード本体が光触媒層を備えることにより、車室等の室内の不快臭を除去できる。
【図面の簡単な説明】
【００１７】
【図１】図１は車両用サンシェードを示す模式図である。
【図２】図２は車両用サンシェードの着脱構造を示す模式図である。
【図３】図３は車両用サンシェードの変形例を示す模式図である。
【考案を実施するための形態】
【００１８】
図１に示す車両用サンシェード１０は、自動車の前ウインド又は後ウインド等の窓ガラス１の内面に吸着盤２０を介して取着され、太陽光を遮断して車室内の温度上昇を抑える。尚、吸着盤２０は、窓ガラス１の内面に吸着する吸着部２１と、吸着部２１の背面の中心分に立設する軸状取付部２２と、吸着部２１の背面の外周部に突設される取外用つまみ２３を有する。取付部２２は軸方向の中間部に環状溝を設け、この溝底からなる溝状の取付用小径部２２Ａを備える。
【００１９】
車両用サンシェード１０を構成するサンシェード本体１１は、厚紙、段ボール、プラスチックシート等のシートからなり、複数の互いに平行をなして上下縦方向（窓ガラス１の内面に取着された状態で鉛直線に沿う方向）に沿う折り目１１Ａで折り畳み可能にされる。サンシェード本体１１は、保管時、及び後述する吸着盤２０の取付部２２への係脱時に折り畳み状態とされ、窓ガラス１の内面への取着時にはこれを展開して用いられる。
【００２０】
車両用サンシェード１０は、図１に示す如く、サンシェード本体１１の外郭１１Ｂが窓ガラス１の概ね矩形状の輪郭と相似しない曲線からなる異形状とされる。図１に示したサンシェード本体１１の外郭１１Ｂは鳥の形態をなし、図３に示したサンシェード本体１１の外郭１１Ｂは蝶の形態をなしており、窓ガラス１の内面に取着されて車室外に臨む表面にはかわいらしい絵柄を印刷することができる。
【００２１】
車両用サンシェード１０は、サンシェード本体１１に光触媒層を備えることができる。光触媒層は、酸化チタン等の光反応性半導体を含有してなる層であって、太陽光が当たると触媒機能が働き、悪臭や細菌等を分解除去する有害物質除去能を有する層である。光反応性半導体は適当な基材に内添又は塗工することによって担持・固定され、光触媒層として機能する。
【００２２】
車両用サンシェード１０は、吸着盤２０の取付部２２の取付用小径部２２Ａが係脱できる取付スリット１２を、サンシェード本体１１の外縁１１Ｃに開口させて該サンシェード本体１１に設けてある。本実施例の取付スリット１２は、図２に示す如く、横向き（窓ガラス１の内面に取着された状態で水平線に沿う向き）の横スリット部１２Ａと、縦方向（窓ガラス１の内面に取着された状態で鉛直線に沿う向き）の縦スリット部１２ＢとをＬ字状に交差し、横スリット部１２Ａをサンシェード本体１１の外縁１１Ｃに開口させている。但し、サンシェード本体１１に設ける取付スリット１２は、横スリット部１２Ａのみからなるものでも良く、又は外縁１１Ｃの開口から斜め上向きをなしてサンシェード本体１１内に延在される斜めスリット部からなるものでも良い。
【００２３】
車両用サンシェード１０のサンシェード本体１１は窓ガラス１の内面に以下の手順で着脱される。
(1)サンシェード本体１１の外縁１１Ｃに開口する取付スリット１２に吸着盤２０の取付部２２の取付用小径部２２Ａを差し入れて係着する（図２（Ａ））。
【００２４】
(2)サンシェード本体１１の車室に臨む背面側に露出している上述(1)の吸着盤２０の取付部２２の外端面を車室の側から窓ガラス１の内面上に押し込み、吸着盤２０の吸着部２１を窓ガラス１の内面に強固に吸着させる（図２（Ｂ））。このとき、サンシェード本体１１は展開された状態で、窓ガラス１の内面に取着される。
【００２５】
尚、吸着盤２０の吸着部２１を窓ガラス１の内面に先に吸着させておき、この吸着盤２０の取付部２２にサンシェード本体１１の外縁１１Ｃに開口する取付スリット１２を差し入れて係着するものであっても良い。
【００２６】
(3)吸着盤２０の吸着部２１を窓ガラス１の内面に吸着させたままで、車室の側からサンシェード本体１１を動かし、サンシェード本体１１の外縁１１Ｃに開口する取付スリット１２を吸着盤２０の取付部２２の取付用小径部２２から抜き外す（図２（Ｃ））。これにより、サンシェード本体１１が窓ガラス１の内面から取外される。
【００２７】
尚、サンシェード本体１１を吸着盤２０から取外ししながらサンシェード本体１１をその折り目１１Ａで折り畳むことにより、上述の抜き外し作業性を向上できる。
【００２８】
(4)サンシェード本体１１が上述(3)により取外されて吸着盤２０の全体が車室に臨むことになった状態で、吸着盤２０の取外用つまみ２３を引張り、その吸着部２１の窓ガラス１の内面への吸着を除去する。
【００２９】
本実施例によれば以下の作用効果を奏する。
(a)サンシェード本体１１の外縁１１Ｃに開口する取付スリット１２に吸着盤２０の取付部２２を差し入れて係着し、この吸着盤２０の吸着部２１を窓ガラス１の内面に吸着させることにより、サンシェード本体１１を窓ガラス１の内面に容易に取着できる。
【００３０】
尚、吸着盤２０の吸着部２１を窓ガラス１の内面に先に吸着させておき、この吸着盤２０の取付部２２にサンシェード本体１１の外縁１１Ｃに開口する取付スリット１２を差し入れて係着することによっても、サンシェード本体１１を窓ガラス１の内面に容易に取着できる。
【００３１】
(b)吸着盤２０の吸着部２１を窓ガラス１の内面に吸着させたままで、サンシェード本体１１の外縁１１Ｃに開口する取付スリット１２を吸着盤２０の取付部２２から抜き外すことで、サンシェード本体１１を窓ガラス１の内面から容易に取外しできる。この後、吸着盤２０を引張る等によりその吸着部２１の窓ガラス１の内面への吸着を除去するものになる。
【００３２】
(c)サンシェード本体１１の外郭１１Ｂが窓ガラス１の輪郭と相似しない曲線からなるものとすることにより、(i)サンシェード本体１１の外郭１１Ｂを鳥、蝶、てんとう虫等のかわいらしい形態にすることができ、(ii)通常の矩形と異なる独特の形態をなすサンシェード本体１１が目印となり、駐車場で遠くから自分の車両を見つけることができ、(iii)窓ガラス１においてサンシェード本体１１の外郭１１Ｂにより遮蔽されない部分が車室外から車室内を見通し可能にし、車室内への子供の閉じ込め事故等を予防できる。
【００３３】
(d)サンシェード本体１１が光触媒層を備えることにより、車室内の不快臭を除去できる。
【００３４】
以上、本考案の実施例を図面により詳述したが、本考案の具体的な構成はこの実施例に限られるものではなく、本考案の要旨を逸脱しない範囲の設計の変更等があっても本考案に含まれる。例えば本考案のサンシェードは住宅の窓ガラスに取着して用いることもできる。
【産業上の利用可能性】
【００３５】
本考案は、車両等の窓ガラスの内面に吸着盤を介して取着される車両用サンシェード等のサンシェードにおいて、吸着盤の取付部が係脱できる取付スリットが、サンシェード本体の外縁に開口して該サンシェード本体に設けられてなるようにした。これにより、サンシェード本体を窓ガラスの内面に吸着盤を介して容易に着脱することができる。
【符号の説明】
【００３６】
１  窓ガラス
１０  車両用サンシェード
１１  サンシェード本体
１１Ｂ  外郭
１１Ｃ  外縁
１２  取付スリット
２０  吸着盤
２１  吸着部
２２  取付部
【図１】
0003155341.tif 000003
【図２】
0003155341.tif 000004
【図３】
0003155341.tif 000005